(57)【要約】【課題】  放電灯の点灯前から始動及び点灯後に至るまで適切に放電灯のフィラメント予熱電流を供給することのできる放電灯点灯装置を得ることを目的とする。【解決手段】  放電灯を高周波点灯するインバータ回路と、インバータ回路のスイッチング素子を駆動するインバータ駆動回路と、予め設定された放電灯のフィラメント予熱時、始動電圧印加時、及び設定される調光度合いに応じた調光点灯時のインバータ駆動用制御信号をインバータ駆動回路に出力して制御する制御回路とを備えた調光可能な放電灯点灯装置であって、インバータ回路の出力端にコンデンサと予熱トランス及びスイッチ手段からなる予熱回路が接続され、前記スイッチ手段を制御する予熱制御回路を備え、放電灯の調光点灯時に調光度合いに対応して制御回路から出力される予熱制御信号によって予熱制御回路は、スイッチ手段を制御して放電灯のフィラメント電流を制御するようにしたものである。【選択図】      図１
2008166297.tif 000002
【特許請求の範囲】
【請求項１】
直流電源と、スイッチング素子のスイッチング動作により前記直流電源電圧を高周波電圧に変換して放電灯を高周波点灯するインバータ回路と、前記インバータ回路のスイッチング素子を駆動するインバータ駆動回路と、予め設定された前記放電灯のフィラメント予熱時、放電灯の始動電圧印加時、及び設定される調光度合いに応じた調光点灯時のインバータ駆動用制御信号を前記インバータ駆動回路に出力して制御する制御回路とを備えた調光可能な放電灯点灯装置であって、
前記インバータ回路の出力端にコンデンサと予熱トランス及びスイッチ手段からなる予熱回路が接続され、予熱回路の前記スイッチ手段を制御する予熱制御回路を備え、前記放電灯の調光点灯時に調光度合いに対応して前記制御回路から出力される予熱制御信号によって前記予熱制御回路は、前記スイッチ手段を制御して前記放電灯のフィラメント電流を制御するようにしたことを特徴とする放電灯点灯装置。
【請求項２】
調光点灯時前記予熱制御回路は、前記放電灯の調光度合いが所定の調光度合い以下のときは、前記スイッチ手段をオンするように制御して前記放電灯のフィラメント電流を供給するようにし、調光度合いが所定の調光度合い以上のときは、前記スイッチ手段をオフするように制御してフィラメント電流を供給しないようにしたことを特徴とする請求項１記載の放電灯点灯装置。
【請求項３】
調光点灯時前記予熱制御回路は、所定の周期内で調光度合いに応じて前記スイッチ手段のオン期間を制御して前記放電灯のフィラメント電流を制御するようにしたことを特徴とする請求項１記載の放電灯点灯装置。
【請求項４】
調光度合いが低光束の調光状態から全光状態になるにしたがって、前記スイッチ手段のオン期間の割合を減らし、前記放電灯のフィラメント電流を小さくするようにしたことを特徴とする請求項３記載の放電灯点灯装置。
【発明の詳細な説明】
【技術分野】
【０００１】
この発明は、フィラメントを有する放電灯を高周波点灯させる放電灯点灯装置に関するものである。
【背景技術】
【０００２】
従来の放電灯点灯装置は、交流電源からの交流電圧を受け直流電圧に変換して出力する直流変換部と、該直流電圧を受け高周波交流電圧に変換し放電灯に供給するインバータ部とを有して、前記直流変換部の出力を制御する直流電圧制御部によって、点灯している期間の前記直流変換部の出力電圧が先行予熱期間の出力電圧より低くなるようにしている（例えば、特許文献１参照）。
【０００３】
【特許文献１】特開２００２−２３１４８３号公報（第２―８頁、第１図）
【発明の開示】
【発明が解決しようとする課題】
【０００４】
放電灯が点灯状態にあるときに放電灯のフィラメントに流れる予熱電流が大きすぎると、フィラメントに塗布されている熱電子放射物質の消耗を早め、フィラメント付近の放電灯管内壁が黒くなる現象が早期に発生し、ランプ寿命が短くなるといった悪影響を及ぼすことが知られている。また一般的に放電灯点灯前の先行予熱期間では点灯中とは逆に十分にフィラメントを加熱し熱電子の放出を促すことが必要とされている。さらに放電灯の出力を可変（調光制御）するような放電灯点灯装置においては、調光の度合いに応じた適切な予熱電流とすることが必要とされている。
【０００５】
上記問題点を回避するよう提案された従来の放電灯点灯装置は、フィラメントに流す予熱電流を制御にあたり、コンデンサと予熱トランスからなる予熱回路に加え、先行予熱期間は交流電源を直流電圧に変換する直流電源部の出力を先行予熱期間と点灯期間において可変するような直流電源制御部を構成し、先行予熱期間は直流電源部の出力を大きくし、放電灯点灯中は出力を低下させる制御を行っている。そのため、直流電源出力を制御するための制御回路が必要となるため、装置の大型化を招くといった問題点を有している。また、調光可能な放電灯点灯装置へ適用した場合、適切なフィラメント予熱電流を流すためには調光の度合いに応じて直流電源出力を変化させることが必要である。しかしながら、直流電源出力を可変することによりインバータ部で変換される高周波電圧が変化してしまうために放電灯へ流す放電灯電流も同時に変化してしまい、所望の調光度を得るためには更に複雑な制御が必要となり、直流電源制御部およびインバータ制御部の大型化を招き、調光可能な放電灯点灯装置への適用が難しいという問題点があった。
【０００６】
また、放電灯が良好な点灯状態を維持するためには、フィラメントを適正な温度に維持することが必要とされているが、放電灯が定格点灯または定格点灯に近い状態で点灯している場合には、フィラメント予熱電流は極力減らすことが必要であり、これは、放電灯がフィラメント加熱のためのフィラメント予熱電流が無くても、放電灯を流れる放電灯電流のみで十分な温度が得られるように設計されているためである。従来の放電灯点灯装置の場合、点灯後のフィラメント予熱電流を制御するにあたり、直流電源の出力を可変させるようにしているが、直流電源出力の可変にも限度があり、また放電灯の点灯特性と密接な関係があるため、フィラメント予熱電流を点灯中に適正に制御することが難しいという問題点があった。
【０００７】
この発明は、上記のよう問題点に鑑みてなされたもので、放電灯の点灯前から始動及び点灯後に至るまで適切に放電灯のフィラメント予熱電流を供給することのできる放電灯点灯装置を得ることを目的とするものである。
【課題を解決するための手段】
【０００８】
この発明に係る放電灯点灯装置は、直流電源と、スイッチング素子のスイッチング動作により前記直流電源電圧を高周波電圧に変換して放電灯を高周波点灯するインバータ回路と、前記インバータ回路のスイッチング素子を駆動するインバータ駆動回路と、予め設定された前記放電灯のフィラメント予熱時、放電灯の始動電圧印加時、及び設定される調光度合いに応じた調光点灯時のインバータ駆動用制御信号を前記インバータ駆動回路に出力して制御する制御回路とを備えた調光可能な放電灯点灯装置であって、前記インバータ回路の出力端にコンデンサと予熱トランス及びスイッチ手段からなる予熱回路が接続され、予熱回路の前記スイッチ手段を制御する予熱制御回路を備え、前記放電灯の調光点灯時に調光度合いに対応して前記制御回路から出力される予熱制御信号によって前記予熱制御回路は、前記スイッチ手段を制御して前記放電灯のフィラメント電流を制御するようにしたものである。
【発明の効果】
【０００９】
この発明の放電灯点灯装置は、予め設定された放電灯のフィラメント予熱時、放電灯の始動電圧印加時、及び設定される調光度合いに応じた調光点灯時のインバータ駆動用制御信号をインバータ駆動回路に出力して制御する制御回路とを備えた調光可能な放電灯点灯装置であって、前記インバータ回路の出力端にコンデンサと予熱トランス及びスイッチ手段からなる予熱回路が接続され、予熱回路の前記スイッチ手段を制御する予熱制御回路を備え、前記放電灯の調光点灯時に調光度合いに対応して前記制御回路から出力される予熱制御信号によって前記予熱制御回路は、前記スイッチ手段を制御して前記放電灯のフィラメント電流を制御するようにしたので、調光点灯時、放電灯に流れる放電灯電流が大きく、該放電灯電流により十分フィラメントの加熱ができフィラメントの適正温度が保たれる調光度合いの場合は、フィラメント予熱電流を小さくし、反対に放電灯に流れる放電灯電流が小さく、該放電灯電流では十分にフィラメントの加熱ができずフィラメントの適正温度が保てない調光度合いの場合は、フィラメント予熱電流を大きくすることが可能となり、フィラメント予熱電流の過大、過小による放電灯の短寿命化を防止することができる。
【発明を実施するための最良の形態】
【００１０】
実施の形態１．
図１は、この発明の実施の形態１における例えば段調光が可能な放電灯点灯装置の構成図である。
図１において、１は例えば商用交流電圧を整流平滑または昇圧して得られる直流電源、２はスイッチング素子Ｑ１及びＱ２でハーフブリッジを構成し、前記直流電源１の電圧を高周波電圧に変換するインバータ回路である。前記インバータ回路２の出力端には、チョークコイルＬ１とコンデンサＣ１及びフィラメントを備える放電灯Ｌａからなる負荷回路３が接続されている。この負荷回路３は前記チョークコイルＬ１とコンデンサＣ１とで直列共振回路を構成し、コンデンサＣ１と並列に放電灯Ｌａを接続した構成になっている。また、インバータ回路２の出力端には、コンデンサＣ２と予熱トランスＴ１からなるフィラメント予熱用回路と、スイッチ手段４の直列回路が接続され、前記フィラメント予熱用回路とスイッチ手段４で予熱回路５を構成している。前記フィラメント予熱用回路を形成している前記予熱トランスＴ１の二次側となる一対の巻線は、夫々コンデンサＣ３及びＣ４を介して前記放電灯Ｌａの一対のフィラメントにそれぞれ接続されている。
【００１１】
前記インバータ回路２のスイッチング素子Ｑ１及びＱ２は、インバータ駆動回路７からの駆動信号によって交互にオン・オフ駆動される。このＱ１及びＱ２のオン・オフ駆動によりインバータ回路２の出力端より高周波電流が出力され、前記放電灯Ｌａへ供給される。また、前記予熱回路５内のスイッチ手段４は、予熱制御回路８からの制御信号９によってオンオフ制御される。６は制御回路で、予め設定された前記放電灯Ｌａのフィラメント予熱時、放電灯Ｌａの始動電圧印加時、及び例えば外部から設定される調光度合いの調光信号に応じた調光点灯時のインバータ駆動用制御信号６ａを前記インバータ駆動回路７に出力するとともに、前記フィラメント予熱時、始動電圧印加時、及び調光点灯時に調光度合いに対応して予熱制御信号６ｂを前記予熱制御回路８に出力する。
【００１２】
上記のように構成された段調光が可能な放電灯点灯装置の動作について、図１、図２及び図３を用いて説明する。
図２は、前記インバータ回路２の駆動周波数ｆに対する、前記負荷回路３内のチョークコイルＬ１とコンデンサＣ１の共振回路による共振特性から放電灯Ｌａに印加される電圧との関係示したものである。図２中においては、前記チョークコイルＬ１とコンデンサＣ１による共振回路の共振周波数ｆ０よりも十分高い値とした放電灯Ｌａのフィラメント先行予熱のインバータ駆動周波数ｆ１、前記共振周波数ｆ０付近の値とした放電灯Ｌａを放電開始させるための電圧（始動電圧）印加のためのインバータ駆動周波数ｆ２時を、それぞれプロットして表している。また、図３は、例えば三段調光とした場合の調光度合い（例えば、全光すなわち定格点灯、定格の７０％、定格の５％）に対する、予熱回路５内の前記スイッチ手段４のオンオフの関係を示したものである。
【００１３】
前記放電灯Ｌａを点灯させるためのシーケンスは電源が投入され、前記制御回路６に予め設定された前記フィラメント先行予熱のインバータ駆動周波数ｆ１から始まって、始動電圧印加のためのインバータ駆動周波数ｆ２、そして外部から設定された調光信号の調光度合いに対応した点灯状態とするためのインバータ駆動周波数ｆｘとなるインバータ駆動用制御信号６ａを前記インバータ駆動回路７に出力する。インバータ駆動回路７は、これら一連の前記ｆ１、ｆ２及びｆｘのインバータ駆動周波数に基いて、前記インバータ回路２のスイッチング素子Ｑ１及びＱ２をオン・オフ駆動させ、前記フィラメント先行予熱から点灯までの一連の動作を行う。また、前記制御回路６は、フィラメント先行予熱時、及び始動電圧印加時は放電灯Ｌａのフィラメントへフィラメント予熱電流を供給するために、前記予熱制御回路８へ予熱制御信号６ｂを出力する。この予熱制御信号６ｂを受けて予熱制御回路８は、前記予熱回路５のスイッチ手段４をオンするように制御する。
【００１４】
フィラメント先行予熱動作時においては、前記制御回路６からのインバータ駆動用制御信号６ａによってインバータ駆動回路７は、前記先行予熱駆動周波数であるｆ１（例えば１００ｋＨｚ）で前記インバータ回路２のスイッチング素子Ｑ１及びＱ２をオン・オフ駆動する。この先行予熱駆動周波数ｆ１の駆動により前記インバータ回路２から出力される高周波電圧が、前記コンデンサＣ２と予熱トランスＴ１の一次巻線に印加され、予熱トランスＴ１の二次側となる一対の巻線にそれぞれ電圧が誘起され、前記コンデンサＣ３、Ｃ４を通じて放電灯Ｌａの一対のフィラメントにフィラメント予熱電流Ｉｆ（例えば４００ｍＡ）がそれぞれ流れる。尚、前記コンデンサＣ２は、インバータ駆動周波数にほとんど依存しないように十分大きな容量とすることで、前記予熱トランスＴ１の一次巻線には一定の電圧が印加されることになり、二次側に発生するフィラメント予熱電流もインバータ駆動周波数に依存することなく略一定となる。
【００１５】
前記フィラメント先行予熱動作時の前記インバータ駆動周波数がｆ１の場合、負荷回路３の前記チョークコイルＬ１とコンデンサＣ１からなる共振回路での放電灯Ｌａに印加される電圧は、図２に示すように放電開始させるために印加する始動電圧よりも十分低いため、このフィラメント先行予熱期間で放電することは無い。
【００１６】
前記先行予熱期間の後、制御回路６からのインバータ駆動用制御信号６ａによってインバータ駆動回路７は、前記始動電圧印加のためのインバータ駆動周波数ｆ２で前記インバータ回路２のスイッチング素子Ｑ１及びＱ２をオン・オフ駆動する。この駆動周波数ｆ２の駆動により、前記コンデンサＣ１の両端に高電圧を発生させ、この高電圧を放電灯Ｌａに印加することで放電が開始され放電灯Ｌａが点灯する。尚、前述のように、先行予熱期間の後のこの始動電圧印加期間においても、前記スイッチ手段４はオンされて、放電灯Ｌａのフィラメントへフィラメント予熱電流が供給される。
【００１７】
放電灯Ｌａの点灯後、制御回路６は外部から設定された調光度合い（前述した全光、定格の７０％、定格の５％）の調光信号に応じてインバータ駆動周波数を変化させて、前記インバータ駆動回路７にインバータ駆動用制御信号６ａを出力する。このインバータ駆動用制御信号６ａによってインバータ駆動回路７は前記インバータ回路２の駆動周波数を変化させる。インバータ回路２のインバータ駆動周波数の変化により、前記チョークコイルＬ１のインピーダンスが周波数によって変化することを利用して、放電灯Ｌａに流れる放電灯電流ＩＬを制御して調光点灯を行う。
【００１８】
ここで、上記放電灯Ｌａの点灯後、前記図３に示す放電灯Ｌａが全光時においては、放電灯Ｌａに流れる放電灯電流ＩＬによって十分フィラメントの加熱ができフィラメントの適正温度を維持できるため、前記予熱制御回路８は制御回路６からの予熱制御信号６ｂによって、予熱回路５内の前記スイッチ手段４をオフするように制御して、前記放電灯Ｌａのフィラメントへフィラメント予熱電流を供給しないようにする。
【００１９】
また、放電灯Ｌａを前記定格点灯の７０％調光、及び低光束点灯状態の定格点灯の５％調光においては、該調光時の放電灯Ｌａに流れる放電灯電流ＩＬだけでは十分にフィラメントの加熱ができずフィラメントの適正温度を維持できないため、予熱制御回路８は制御回路６からの予熱制御信号６ｂによって、予熱回路５内の前記スイッチ手段４をオンするように制御して、放電灯Ｌａのフィラメントへフィラメント予熱電流を供給するようにする。
【００２０】
以上のように、本実施の形態においては、例えば三段調光（全光、定格の７０％、定格の５％）が可能な放電灯点灯装置としたときに、調光度合いによって放電灯Ｌａに適切にフィラメント予熱電流を供給する場合に、例えば前記全光時においては、放電灯Ｌａに流れる放電灯電流ＩＬによって十分フィラメントの加熱ができフィラメントの適正温度を維持できるため、制御回路６からの予熱制御信号６ｂを受けて予熱制御回路８は前記スイッチ手段４をオフして、放電灯Ｌａのフィラメントにフィラメント予熱電流を供給しないようにしたので、不要なフィラメント予熱電流を供給することによるフィラメントの過熱がなくなり、点灯中のフィラメント予熱電流過多による放電灯の短寿命化を防止できる。また、フィラメント予熱電流を遮断するので、点灯中のフィラメントでの電力消費をなくすことでき、放電灯点灯装置全体の省電力化を図ることができる。
【００２１】
また、例えば前記定格の７０％、定格の５％調光においては、該調光時の放電灯Ｌａに流れる放電灯電流ＩＬだけでは十分にフィラメントの加熱ができずフィラメントの適正温度を維持できなくなるため、制御回路６からの予熱制御信号６ｂを受けて予熱制御回路８は前記スイッチ手段４をオンして、放電灯Ｌａのフィラメントにフィラメント予熱電流を供給するようにしたので、フィラメントの加熱不足による放電灯の短寿命化といった問題を引き起こすことがない。
【００２２】
尚、上記実施の形態においては、全光時において、予熱回路５の前記スイッチ手段４をオフして、放電灯Ｌａのフィラメントにフィラメント予熱電流を供給しないようにしたが、例えば放電灯Ｌａに流れる放電灯電流ＩＬによって十分フィラメントの加熱ができフィラメントの適正温度を維持できるのであれば、前記全光以外の調光度合いでスイッチ手段４をオフして、放電灯Ｌａのフィラメントにフィラメント予熱電流を供給しないようにしても構わないものである。
【００２３】
実施の形態２．
上記実施の形態１では、段調光が可能な放電灯点灯装置としたときの、調光度合いによって適切に放電灯Ｌａのフィラメント予熱電流の供給と遮断を行うようにしたものである。本実施の形態においては、連続調光が可能な放電灯点灯装置としたときの、調光度合いによって適切に放電灯Ｌａのフィラメント予熱電流を供給するようにした形態について示す。
尚、本実施の形態においては、調光時制御回路６からの予熱制御信号６ｂを受けて予熱制御回路８が前記予熱回路５のスイッチ手段４を制御する際、連続調光での調光度合いに応じて制御するようにした点が上記実施の形態１と異なるもので、放電灯点灯装置の構成は、上記実施の形態１の図１と同様であるので、ここでの図示と説明を省略する。
【００２４】
図４は、上記実施の形態１の図１で示した予熱回路５内のスイッチ手段４と、該スイッチ手段４を制御する予熱制御回路８部分を説明のため拡大した図である。尚、図４において、上記実施の形態１の図１と同一または相当部分には同一符号を付し説明を省略する。
前記スイッチ手段４は、調光時予熱制御回路８からの図４に示す制御信号９によって所定の周期Ｔ（例えば１ｍｓｅｃ）内でオンオフ制御される。尚、図４中の前記制御信号９でｔｏｎとあるのは、オンする時間を表している。
図５は、調光信号による調光度合いに対する、前記スイッチ手段４の所定の周期Ｔに対するオン期間（ｔｏｎ）の割合の関係、及び平均フィラメント予熱電流Ｉｆａｖｅの関係を、それぞれ示したものである。
【００２５】
上記構成の連続調光が可能な放電灯点灯装置の動作について、前記図４、図５を用いて説明する。尚、本実施の形態においても、前記放電灯Ｌａのフィラメント先行予熱から放電開始させるまでの動作については、上記実施の形態１で説明した動作と同様であるので説明を省略する。ここでは、外部からの連続調光を可能とする調光度合いの調光信号によって、放電灯を調光点灯する際のフィラメント予熱電流の供給について述べることとし、前記予熱回路５内の前記スイッチ手段４がオンした時、フィラメント予熱電流Ｉｆａｖｅ（以下、Ｉｆと略記でいう）が、例えば４００ｍＡ流れるように設定されているものとして動作を説明する。
前記放電灯Ｌａの点灯後、前記予熱制御回路８は制御回路６からの予熱制御信号６ｂによって指示される調光度合いに応じて、予熱回路５内の前記スイッチ手段４を前記所定の周期Ｔ内でのオン期間の割合を変化させて制御するものである。
【００２６】
本実施の形態では図５に示すように、放電灯Ｌａが全光時においては、前記スイッチ手段４の前記所定の周期Ｔに対するオン期間（ｔｏｎ）の割合をゼロ％とし、放電灯Ｌａを例えば定格点灯の７０％調光とする場合は、前記オン期間（ｔｏｎ）の割合を例えば３０％とする。また、放電灯Ｌａを例えば定格点灯の５％といった低光束状態での調光とする場合は、前記オン期間（ｔｏｎ）の割合を例えば１００％とするようにして、調光度合いが小さくなるにしたがって前記所定の周期Ｔ内でのオン期間（ｔｏｎ）の割合を大きくするようにして、調光度合いに応じて連続的に変化させる。
【００２７】
前記全光時では、所定の周期Ｔに対するオン期間（ｔｏｎ）の割合がゼロ％であるため、前記スイッチ手段４は所定の周期Ｔに対してオフ状態を保つため、放電灯Ｌａへのフィラメント予熱電流Ｉｆは供給されない。また、前記定格の７０％調光時では、前記オン期間（ｔｏｎ）の割合が３０％の制御信号９によって、前記スイッチ手段４が制御されて、放電灯Ｌａにフィラメント予熱電流Ｉｆが供給されることになる。その時のフィラメント予熱電流Ｉｆの一例を図６に示す。
【００２８】
前記所定の周期Ｔ（１ｍｓｅｃ）に対するオン期間（ｔｏｎ）の割合が３０％（０.３ｍｓｅｃ）となる制御信号９によって前記スイッチ手段４を制御した場合、図６に示すように、所定の周期Ｔのうちの前記３０％（０.３ｍｓｅｃ）のオン期間では、４００ｍＡのフィラメント予熱電流Ｉｆが流れ、残り７０％（０.７ｍｓｅｃ）のオフ期間はフィラメント予熱電流は供給されない。従って、所定の周期Ｔにおける平均フィラメント予熱電流Ｉｆは、１２０ｍＡ（＝４００ｍＡ×３０％）となる。また、前記定格の５％調光時では、前記オン期間（ｔｏｎ）の割合が１００％であるため、スイッチ手段４は所定の周期Ｔに対してオン状態を保つため、放電灯Ｌａへフィラメント予熱電流Ｉｆ＝４００ｍＡが供給されることになる。
【００２９】
以上のように、連続調光を可能とする放電灯点灯装置において、外部からの調光度合いに応じて、所定の周期Ｔ内でのオン期間の割合を連続的に可変するようにして予熱回路５内のスイッチ手段４を制御するようにしたので、放電灯Ｌａに流れる放電灯電流ＩＬが大きく、該放電灯電流ＩＬにより十分フィラメントの加熱ができフィラメントの適正温度が保たれる調光度合いの場合は、フィラメント予熱電流Ｉｆを小さくし、反対に放電灯Ｌａに流れる放電灯電流ＩＬが小さく、該放電灯電流ＩＬでは十分にフィラメントの加熱ができずフィラメントの適正温度が保てない調光度合いの場合は、フィラメント予熱電流Ｉｆを大きくすることが可能となる。このように放電灯Ｌａの調光度合いに応じて適正にフィラメント予熱電流を供給することが可能となるため、放電灯Ｌａの調光範囲全体において、フィラメント予熱電流の過大、過小による放電灯Ｌａの短寿命化を防止することができ、またフィラメントでの電力消費を最小限に抑えることができるため、放電灯点灯装置全体の省電力化を図ることができる。
【００３０】
尚、上記実施の形態では、図５に示すように放電灯Ｌａの調光度合いに対して、スイッチ手段４のオン期間（ｔｏｎ）の割合を連続的に変化するようにしたが、調光度合いに対してスイッチ手段４の前記オン期間（ｔｏｎ）の割合を段階的に変化させるようにしても構わないもので、その場合も同様の効果が得られる。
【００３１】
また、上記実施の形態１、２で説明した、スイッチ手段４を構成するものとしては、例えばトランジスタやＭＯＳ−ＦＥＴなどの半導体のほか、リレー等の機械的動作によるスイッチ部品の何れでもよく、特に限定するものではない。
【図面の簡単な説明】
【００３２】
【図１】この発明の実施の形態１における例えば段調光が可能な放電灯点灯装置の構成図である。
【図２】この発明の実施の形態１に係るインバータ駆動周波数に対する放電灯に印加される電圧との関係を示した図である。
【図３】この発明の実施の形態１に係る放電灯の調光度合いに対する予熱回路内のスイッチ手段のオンオフ関係を示した図である。
【図４】この発明の実施の形態２に係る上記図１の予熱回路内のスイッチ手段と、スイッチ手段を制御する予熱制御回路部分の拡大図である。
【図５】この発明の実施の形態２に係る放電灯の調光度合いに対する、スイッチ手段の所定の周期Ｔに対するオン期間の割合の関係、及び平均フィラメント予熱電流の関係を、それぞれ示した図である。
【図６】この発明の実施の形態２に係る調光度合いが例えば定格の７０％時のフィラメント予熱電流の一例を示した図である。
【符号の説明】
【００３３】
１  直流電源、  ２  インバータ回路、  ３  負荷回路、  ４  スイッチ手段、  ５  予熱回路、  ６  制御回路、  ６ａ  インバータ駆動用制御信号、  ６ｂ  予熱制御信号、  ７  インバータ駆動回路、  ８    予熱制御回路、  ９  制御信号。
【図１】
2008166297.tif 000003
【図２】
2008166297.tif 000004
【図３】
2008166297.tif 000005
【図４】
2008166297.tif 000006
【図５】
2008166297.tif 000007
【図６】
2008166297.tif 000008
【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
直流電源と、スイッチング素子のスイッチング動作により前記直流電源電圧を高周波電圧に変換して放電灯を高周波点灯するインバータ回路と、前記インバータ回路のスイッチング素子を駆動するインバータ駆動回路と、予め設定された前記放電灯のフィラメント予熱時、放電灯の始動電圧印加時、及び設定される調光度合いに応じた調光点灯時のインバータ駆動用制御信号を前記インバータ駆動回路に出力して制御する制御回路とを備えた調光可能な放電灯点灯装置であって、
前記インバータ回路の出力端にコンデンサと予熱トランス及びスイッチ手段からなる予熱回路が接続され、予熱回路の前記スイッチ手段を制御するとともに、前記スイッチ手段がオン状態であるとき前記インバータ駆動回路の駆動周波数に依存することなくほぼ一定のフィラメント予熱電流を生成する予熱制御回路を備え、前記放電灯の調光点灯時に調光度合いに対応して前記制御回路から出力される予熱制御信号によって前記予熱制御回路は、前記スイッチ手段を制御して前記放電灯のフィラメント電流を制御するようにしたことを特徴とする放電灯点灯装置。
【請求項２】
調光点灯時前記予熱制御回路は、前記放電灯の調光度合いが所定の調光度合い以下のときは、前記スイッチ手段をオンするように制御して前記放電灯のフィラメント電流を供給するようにし、調光度合いが所定の調光度合い以上のときは、前記スイッチ手段をオフするように制御してフィラメント電流を供給しないようにしたことを特徴とする請求項１記載の放電灯点灯装置。
【請求項３】
調光点灯時前記予熱制御回路は、所定の周期内で調光度合いに応じて前記スイッチ手段のオン期間を制御して前記放電灯のフィラメント電流を制御するようにしたことを特徴とする請求項１記載の放電灯点灯装置。
【請求項４】
調光度合いが低光束の調光状態から全光状態になるにしたがって、前記スイッチ手段のオン期間の割合を減らし、前記放電灯のフィラメント電流を小さくするようにしたことを特徴とする請求項３記載の放電灯点灯装置。
【手続補正２】
【補正対象書類名】明細書
【補正対象項目名】０００８
【補正方法】変更
【補正の内容】
【０００８】
この発明に係る放電灯点灯装置は、直流電源と、スイッチング素子のスイッチング動作により前記直流電源電圧を高周波電圧に変換して放電灯を高周波点灯するインバータ回路と、前記インバータ回路のスイッチング素子を駆動するインバータ駆動回路と、予め設定された前記放電灯のフィラメント予熱時、放電灯の始動電圧印加時、及び設定される調光度合いに応じた調光点灯時のインバータ駆動用制御信号を前記インバータ駆動回路に出力して制御する制御回路とを備えた調光可能な放電灯点灯装置であって、前記インバータ回路の出力端にコンデンサと予熱トランス及びスイッチ手段からなる予熱回路が接続され、予熱回路の前記スイッチ手段を制御するとともに、前記スイッチ手段がオン状態であるとき前記インバータ駆動回路の駆動周波数に依存することなくほぼ一定のフィラメント予熱電流を生成する予熱制御回路を備え、前記放電灯の調光点灯時に調光度合いに対応して前記制御回路から出力される予熱制御信号によって前記予熱制御回路は、前記スイッチ手段を制御して前記放電灯のフィラメント電流を制御するようにしたものである。
【手続補正３】
【補正対象書類名】明細書
【補正対象項目名】０００９
【補正方法】変更
【補正の内容】
【０００９】
この発明の放電灯点灯装置は、予め設定された放電灯のフィラメント予熱時、放電灯の始動電圧印加時、及び設定される調光度合いに応じた調光点灯時のインバータ駆動用制御信号をインバータ駆動回路に出力して制御する制御回路とを備えた調光可能な放電灯点灯装置であって、前記インバータ回路の出力端にコンデンサと予熱トランス及びスイッチ手段からなる予熱回路が接続され、予熱回路の前記スイッチ手段を制御するとともに、前記スイッチ手段がオン状態であるとき前記インバータ駆動回路の駆動周波数に依存することなくほぼ一定のフィラメント予熱電流を生成する予熱制御回路を備え、前記放電灯の調光点灯時に調光度合いに対応して前記制御回路から出力される予熱制御信号によって前記予熱制御回路は、前記スイッチ手段を制御して前記放電灯のフィラメント電流を制御するようにしたので、調光点灯時、放電灯に流れる放電灯電流が大きく、該放電灯電流により十分フィラメントの加熱ができフィラメントの適正温度が保たれる調光度合いの場合は、フィラメント予熱電流を小さくし、反対に放電灯に流れる放電灯電流が小さく、該放電灯電流では十分にフィラメントの加熱ができずフィラメントの適正温度が保てない調光度合いの場合は、フィラメント予熱電流を大きくすることが可能となり、フィラメント予熱電流の過大、過小による放電灯の短寿命化を防止することができる。